(57)【要約】      （修正有）【課題】着用者の体型などに合わせた付け直しや位置調整が容易なベルトずれ防止具を提供する。【解決手段】ベルトずれ防止具１００は、着衣部１０１と掛止部１０２とを備えている。着衣部１０１は半袖や長袖の形態であってもよい。また、着衣部１０１は、ズボンやスカートに裾が入る状態で着用されるものであれば下着用に限定されない。掛止部１０２は、左右一対に設けられ、ズボンやスカートなどのベルトに掛止されてベルトを支持する。掛止部１０２は、着衣部１０１に対して着脱自在に取り付けられ、洗濯の際には掛止部１０２を着衣部１０１から外して着衣部１０１のみを洗濯することが出来る。着衣部１０１には、掛止部１０２が取り付けられる箇所にスナップテープが縫い付けられている。【選択図】図１
0003233410.tif 000002
【実用新案登録請求の範囲】
【請求項１】
上半身に着用される上半身衣服部と、
下半身に着用される下半身衣服のベルトが上縁に掛かって当該ベルトを支持する支持部材と、
前記支持部材を表面に保持したシート状の保持部と、
貼り合わせ面同士で互いに着脱自在に張り合わされる１対の面状貼り合わせ具の一方が前記上半身衣服部に固定された第１の貼り合わせ部と、
前記面状貼り合わせ具の他方が前記保持部の前記表面に対する裏面に固定された第２の貼り合わせ部と、
を備えたことを特徴とするベルトずれ防止具。
【請求項２】
前記面状貼り合わせ具は、前記貼り合わせ面状に柱状の突起が２次元的に配列され、当該柱状の突起が噛み合うことで張り合わされるものであることを特徴とする請求項１に記載のベルトずれ防止具。
【請求項３】
前記第１の貼り合わせ部は、前記貼り合わせ面として、前記第２の貼り合わせ部の貼り合わせ面よりも上下方向に長い貼り合わせ面を有し、
前記第２の貼り合わせ部は、上下方向に異なる複数の箇所で前記第１の貼り合わせ部と貼り合わせ可能であることを特徴とする請求項１または２に記載のベルトずれ防止具。
【請求項４】
前記第２の貼り合わせ部が前記第１の貼り合わせ部と貼り合わせられた状態で、当該第２の貼り合わせ部は、前記支持部材の上方に位置することを特徴とする請求項１または３に記載のベルトずれ防止具。
【請求項５】
前記支持部材の少なくとも一部を覆って当該支持部材を保持し、前記保持部に縫い付けられた伸縮性の被覆材を更に備えたことを特徴とする請求項１から４のいずれか１項に記載のベルトずれ防止具。
【請求項６】
前記保持部が主としてフェルトからなることを特徴とする請求項１から５のいずれか１項に記載のベルトずれ防止具。
【請求項７】
前記支持部材が発泡材からなることを特徴とする請求項１から６のいずれか１項に記載のベルトずれ防止具。
【請求項８】
前記保持部の前記裏面には、前記支持部材の下方部分と重なる位置にクッション材が固定されていることを特徴とする請求項１から７のいずれか１項に記載のベルトずれ防止具。
【考案の詳細な説明】
【技術分野】
【０００１】
本発明は、ベルトずれ防止具に関する。
【背景技術】
【０００２】
従来、腹部が出た体型の着用者などにおいて下半身に着用されるズボンやスカートなどの衣服のベルトがずり落ちることを防止するベルトずれ防止具が知られている。
【０００３】
例えば特許文献１には、ベルトに係止する軟質素材の本体を、上半身に着用されるシャツなどの衣服の裾にスナップピンで取り付けるズボンずり落ち防止具が提案されている。
【先行技術文献】
【特許文献】
【０００４】
【特許文献１】実開平７−２４９３３号公報
【考案の概要】
【考案が解決しようとする課題】
【０００５】
ベルトずれ防止具が適切に機能するためには、着用者の体型などに合った適切な位置(特に高さ)にベルトずれ防止具が位置する必要がある。
上記特許文献１のズボンずり落ち防止具では、洗濯などに際してズボンずり落ち防止具を外すと、再度使用する際に適切な位置に付け直すことが難しい。
一方、シャツなどに縫い付けた場合には洗濯などの邪魔になるし、位置調整も出来ない。
そこで本考案は、着用者の体型などに合わせた付け直しや位置調整が容易なベルトずれ防止具を提供することを目的とする。
【課題を解決するための手段】
【０００６】
上記目的を達成する本考案のベルトずれ防止具は、上半身に着用される上半身衣服部と、下半身に着用される下半身衣服のベルトが上縁に掛かって当該ベルトを支持する支持部材と、上記支持部材を表面に保持したシート状の保持部と、貼り合わせ面同士で互いに着脱自在に張り合わされる１対の面状貼り合わせ具の一方が上記上半身衣服部に固定された第１の貼り合わせ部と、上記面状貼り合わせ具の他方が上記保持部の上記表面に対する裏面に固定された第２の貼り合わせ部と、を備えたことを特徴とする。
【０００７】
上記ベルトずれ防止具によれば、上半身衣服部に第１の貼り合わせ部が固定され、保持部の裏面に第２の貼り合わせ部が固定されているので、第１の貼り合わせ部の固定位置を目安に保持部を付け直すことができるので、着用者の体型などに合わせた付け直しが容易である。また、面状貼り合わせ具として面ファスナーなどが用いられることにより、着用者の体型などに合わせた位置調整も可能となる。
【０００８】
上記ベルトずれ防止具において、上記面状貼り合わせ具は、上記貼り合わせ面状に柱状の突起が２次元的に配列され、当該柱状の突起が噛み合うことで張り合わされるものが好ましい。この好ましい面状貼り合わせ具は貼り付け方向がズレないので、上半身衣服部に固定された第１の貼り合わせ部の向きを基準として支持部材が確実に所望の向きとなる。また、この好ましい面状貼り合わせ具は、着脱に対する耐久性が高く、洗濯などの度に保持部を着脱することができる。
【０００９】
上記ベルトずれ防止具において、上記第１の貼り合わせ部は、上記貼り合わせ面として、上記第２の貼り合わせ部の貼り合わせ面よりも上下方向に長い貼り合わせ面を有し、上記第２の貼り合わせ部は、上下方向に異なる複数の箇所で上記第１の貼り合わせ部と貼り合わせ可能であることが望ましい。第１の貼り合わせ部の貼り合わせ面が長さに余裕を持つことで、支持部材の上下方向の調整が可能となり、調整範囲も確保される。
【００１０】
上記ベルトずれ防止具において、上記第２の貼り合わせ部が上記第１の貼り合わせ部と貼り合わせられた状態で、当該第２の貼り合わせ部は、上記支持部材の上方に位置することが望ましい。即ち、保持部の上方に第１の貼り合わせ部が固定され、保持部の下方で支持部材が保持される。これにより、ベルトが掛かった場合の支持部材の位置が安定し、支持部材によるベルトの支持も安定する。
【００１１】
上記ベルトずれ防止具において、上記支持部材の少なくとも一部を覆って当該支持部材を保持し、上記保持部に縫い付けられた伸縮性の被覆材を更に備えることが望ましい。伸縮性の被覆材によって支持部材が覆われて保持されることにより、支持部材に掛かるベルトの衝撃力が被覆材で吸収され、支持部材によるベルトの支持が安定する。
【００１２】
上記ベルトずれ防止具において、上記保持部が主としてフェルトからなることが望ましい。主としてフェルトからなる保持部は、耐久性が高いと共に、可撓性を有するため支持部材がベルトから抜けにくく、ベルトの支持が安定する。
【００１３】
上記ベルトずれ防止具において、上記支持部材が発泡材からなることが望ましい。例えばゴム製スポンジなどのような発泡材からなる支持部材は、着用者に対して痛みを与えない。
【００１４】
上記ベルトずれ防止具において、上記保持部の上記裏面には、上記支持部材の下方部分と重なる位置にクッション材が固定されていることが望ましい。クッション材によって支持部材の下側部分が前方かつ上向きに押し出されるため、支持部材の上縁に掛かったベルトが抜けにくくなり、支持部材によるベルトの支持力が向上する。これにより、例えばスポーツなどにおける大きな動きの際にもベルトの支持が維持される。
【考案の効果】
【００１５】
本考案のベルトずれ防止具によれば、着用者の体型などに合わせた付け直しや位置調整が容易である。
【図面の簡単な説明】
【００１６】
【図１】本考案のベルトずれ防止具の実施形態を示す図である。
【図２】着衣部の構造を示す図である。
【図３】掛止部の構造を示す図である。
【図４】ベルトずれ防止具の掛止部付近を示した模式的な断面図である。
【図５】ベルトずれ防止具の装着状態を示す図である。
【図６】ストッパーにベルトが掛かった状態を説明する模式的な断面図である。
【図７】掛止部の変形例を示すである。
【図８】変形例の掛止部を有する場合にストッパーにベルトが掛かった状態を説明する模式的な断面図である。
【考案を実施するための形態】
【００１７】
本考案の実施形態について以下図面を参照して説明する。
図１は、本考案のベルトずれ防止具の実施形態を示す図である。
本実施形態のベルトずれ防止具１００は、着衣部１０１と掛止部１０２とを備えている。
【００１８】
着衣部１０１は、例えば下着として着用者の上半身に着用されるものであり、本考案に言う上半身衣服の一例に相当する。図１では一例として袖無しのランニングシャツの形態が示されているが、着衣部１０１は半袖や長袖の形態であってもよい。また、着衣部１０１は、ズボンやスカートに裾が入る状態で着用されるものであれば下着用に限定されない。なお、着衣部１０１が袖無しのランニングシャツであると、腕を動かした際に着衣部１０１が突っ張らないので好ましい。
【００１９】
掛止部１０２は、例えば左右一対に設けられ、ズボンやスカートなどのベルトに掛止されてベルトを支持する。掛止部１０２は、着衣部１０１に対して着脱自在に取り付けられ、洗濯の際には掛止部１０２を着衣部１０１から外して着衣部１０１のみを洗濯することが出来る。
図２は、着衣部の構造を示す図であり、図３は、掛止部の構造を示す図である。図３には、正面図（Ａ）と側面図（Ｂ）と背面図（Ｃ）が示されている。
【００２０】
着衣部１０１には、掛止部１０２が取り付けられる箇所にスナップテープ１０３が縫い付けられている。スナップテープ１０３は縫い付け以外の手段で着衣部１０１に固定されていてもよい。着衣部１０１のスナップテープ１０３が、本考案に言う第１の貼り合わせ部の一例に相当する。
【００２１】
掛止部１０２は、フェルトシート１１０の表面にストッパー１２０を保持し、裏面にはスナップテープ１４０が縫い付けられている。掛止部１０２のスナップテープ１４０が、本考案に言う第２の貼り合わせ部の一例に相当し、フェルトシート１１０は本考案に言う保持部の一例に相当する。本考案に言う保持部はフェルト以外のシートでもよいが、フェルトシート１１０は、丈夫である一方で可撓性を有するため、耐久性が高いと共に着用者へ痛みを与えにくいので好ましい。
【００２２】
ストッパー１２０は例えばゴム製のスポンジのような発泡材からなり、本考案に言う支持部材の一例に相当する。ストッパー１２０の素材としては、発泡ウレタン、発泡ゴム、発泡スチロールなどといった発泡材が好ましい。この発泡材は、５０％圧縮後に放圧した場合の厚さの減少が１０％以上であるいわゆる硬質の発泡材や、５０％圧縮後に放圧した場合の厚さの減少が２％以上１０％未満であるいわゆる半硬質の発泡材であると、着用者の身体を痛めずベルトの支持力も高い。
【００２３】
ストッパー１２０は網状の伸縮生地１３０に覆われており、伸縮生地１３０がフェルトシート１１０に縫い付けられることでストッパー１２０はフェルトシート１１０に保持されている。伸縮生地１３０は本考案に言う被覆材の一例に相当する。ストッパー１２０は、上縁１２１が左右方向に延びた横長の姿勢でフェルトシート１１０に保持されている。
【００２４】
掛止部１０２のスナップテープ１４０と着衣部１０１のスナップテープ１０３は同様の構造を有しており、複数の柱状の樹脂突起１４１が布製のベース１４２上に２次元的に配列されて固定され、各樹脂突起１４１はベース１４２から突き出している。掛止部１０２のスナップテープ１４０と着衣部１０１のスナップテープ１０３は、ブロック玩具のように各樹脂突起１４１が互いに嵌まり合うことで着脱自在に張り合わされる。
【００２５】
上記特許文献１のように掛止部１０２をスナップピンなどで衣服に取り付ける形態は、掛止部１０２の位置調整が可能で一見好ましそうであるが、着用者が適切な位置に掛止部１０２を取り付けることは意外に難しく、むしろ不便である。また、スナップピンを刺した衣服の穴に力が集中してしまって衣服の生地が痛む虞が高い。掛止部１０２をスナップピンなどで取り付けたまま洗濯すると更に生地が傷むため、洗濯の度に適切な位置に付け直す必要がある。
【００２６】
これに対し、スナップテープ１０３，１４０で掛止部１０２を着衣部１０１に取り付ける場合には、着衣部１０１のスナップテープ１０３が位置の目安となって容易に元の位置に付け直すことが出来る。また、着衣部１０１のスナップテープ１０３は、着衣部１０１の生地に縫い付けられているので生地に掛かる力が分散され、洗濯時にも生地が傷みにくい。
【００２７】
スナップテープ１０３，１４０は、互いに張り合わされる角度や位置が樹脂突起１４１の配列によって限定されるので、張り直された場合にも元の角度や位置に戻すのが容易である。２つのスナップテープ１０３，１４０を併せたものが、本考案に言う貼り合わせ具の一例に相当する。本考案に言う貼り合わせ具としては、例えば面ファスナーなどであってもよいが、貼り合わせの際の角度調整や位置調整の容易さの点で、スナップテープ１０３，１４０が優れている。
【００２８】
本実施形態では、掛止部１０２のスナップテープ１４０の長さに対して着衣部１０１のスナップテープ１０３の長さが長く、掛止部１０２のスナップテープ１４０は、上下方向に異なる複数の箇所で着衣部１０１のスナップテープ１０３と貼り合わせ可能である。従って、掛止部１０２の位置が着用者の体格などに合わせて上下に調整可能である。掛止部１０２の位置が変更された場合にも、着衣部１０１のスナップテープ１０３に対する相対的な位置として変更後の掛止部１０２の位置が容易に確認でき、付け直しも容易である。
図４は、ベルトずれ防止具の掛止部付近を示した模式的な断面図である。
本実施形態のベルトずれ防止具１００は例えば下着として着用され、ワイシャツ２００などの内側に着用される。
【００２９】
掛止部１０２のスナップテープ１４０はストッパー１２０よりも上方に位置するので、掛止部１０２のスナップテープ１４０と着衣部１０１のスナップテープ１０３が張り合わされてベルトずれ防止具１００が着用者に着用されると、掛止部１０２は、ストッパー１２０をフェルトシート１１０でつり下げた状態になる。
図５は、ベルトずれ防止具の装着状態を示す図である。
【００３０】
下半身に着用される下半身衣服の一例として図５にはズボン３００が示されている。ズボン３００のベルト３１０がストッパー１２０よりも上方で締められることにより、ベルト３１０の下縁がストッパー１２０の上縁に掛かる。
【００３１】
ズボン３００の内側にストッパー１２０が位置するためストッパー１２０は着用者の身体に押しつけられることになるが、上述したようにストッパー１２０が発泡材からなるため、身体の痛みなどは回避される。また、掛止部１０２のフェルトシート１１０によっても着用者の身体が保護される。
図６は、ストッパーにベルトが掛かった状態を説明する模式的な断面図である。
【００３２】
ベルト３１０は、ズボン３００の生地と、シャツ２００の生地と、伸縮生地１３０とを間に介してストッパー１２０の上縁１２１に掛かり、ストッパー１２０によってベルト３１０が支持される。これによってベルト３１０およびズボン３００のずり落ちが防止される。
【００３３】
ストッパー１２０がベルト３１０を支持した反力は、伸縮生地１３０の伸縮によって緩和されて着衣部１０１へと伝達される。このため、着用者が動いた場合にもベルト３１０からの衝撃を伸縮生地１３０が吸収してストッパー１２０の抜けが抑制されるので、ベルト３１０の支持が安定する。
【００３４】
ストッパー１２０は、発泡材以外のものでもよいが、発泡材からなる支持部材は着用者に痛みを与えないので好ましい。また、ストッパー１２０は、伸縮生地１３０以外の手段でフェルトシート１１０に保持されてもよいが、衝撃吸収の点で伸縮生地１３０による保持が優れている。更に、本実施形態ではストッパー１２０がフェルトシート１１０で保持されているのでストッパー１２０の抜けが更に抑制され、ベルト３１０の支持が更に安定する。
図７は、掛止部の変形例を示す図である。
【００３５】
図７に示す変形例では、掛止部１０２のフェルトシート１１０の裏面にクッション材１５０が備えられている。クッション材１５０は、フェルトシート１１０の厚さよりも厚い硬質あるいは半硬質の発泡材からなりストッパー１２０の下方部分と重なる位置に固定されている。
図８は、変形例の掛止部を有する場合にストッパーにベルトが掛かった状態を説明する模式的な断面図である。
【００３６】
フェルトシート１１０の裏面にクッション材１５０が備えられている場合、クッション材１５０がストッパー１２０を、図の右回りに回転させるように持ち上げる。この結果、ストッパー１２０の上縁１２１は着用者側に傾き、ストッパー１２０に対するベルト３１０の掛かりが強くなる。従ってストッパー１２０がベルト３１０から抜けにくく、例えばスポーツなどで体のひねりや大きな上下運動などの激しい動きを着用者が行う場合でもベルト３１０およびズボン３００のずり落ちが抑制される。
なお、上記説明では下半身衣服の例としてズボンが示されているが、下半身衣服は例えばスカートであってもよい。
【００３７】
また、上記説明では、ストッパー１２０が略水平に保持された例が示されているが、本考案にいう支持部材は、保持部によって斜めに保持されてもよい。着用者の体型によっては支持部材が斜めに保持されている方がベルトの支持が安定する。
【００３８】
また、上記説明では、掛止部１０２のスナップテープ１４０がフェルトシート１１０の最上部に固定された例が示されているが、本発明にいう第２の貼り合わせ部は、支持部材と同じ高さに固定されていてもよい。また、第２の貼り合わせ部が支持部材よりも上方に固定されている構造は望ましい構造であるが、第２の貼り合わせ部の固定箇所は支持部材よりも上方であればよく、保持部の最上部である必要はない。
【符号の説明】
【００３９】
１００    ベルトずれ防止具
１０１    着衣部
１０２    掛止部
１０３,１４０    スナップテープ
１１０    フェルトシート
１２０    ストッパー
１２１    上縁
１３０    伸縮生地
２００    ワイシャツ
３００    ズボン
３１０    ベルト
【図１】
0003233410.tif 000003
【図２】
0003233410.tif 000004
【図３】
0003233410.tif 000005
【図４】
0003233410.tif 000006
【図５】
0003233410.tif 000007
【図６】
0003233410.tif 000008
【図７】
0003233410.tif 000009
【図８】
0003233410.tif 000010